(57)【要約】  【課題】  光源の配置の自由度を確保しながらも、光量ムラのない均一な光線束を出力できる光源ユニット及びその光源ユニットを備えたフィルムスキャナを提供する。  【解決手段】  光源２から出力される光線束を案内する光ファイバ群３と、光ファイバ群３により案内された光線束を入射する入光部４Ａ、及び、入光部４Ａから入射して内壁面４Ｂで拡散反射された光線束を出力する出光部４Ｃを備えた略球面形状の光拡散中空体４と、出光部４Ｃから出力された光線束を拡散する拡散板５を設けて構成され、光拡散中空体４の内壁面により入光部４Ａから入射した光源からの光線束を完全拡散光にして出光部４Ｃより放射する。  【選択図】  図２
2005055571.tif 000002
【特許請求の範囲】
【請求項１】
光源から出力される光線束を案内する光ファイバ群と、前記光ファイバ群により案内された光線束を入射する入光部、及び、前記入光部から入射して内壁面で拡散反射された光線束を出力する出光部を備えた光拡散中空体と、前記出光部から出力された光線束を拡散する拡散板を設けて構成してある光源ユニット。
【請求項２】
前記拡散板が、前記出光部に着脱自在に取付けられる請求項１記載の光源ユニット。
【請求項３】
前記出光部が写真フィルムのコマ画像の形状に対応した形状に形成されている請求項１または２記載の光源ユニット。
【請求項４】
前記出力部が、写真フィルムの幅に対応した長さのスリット形状に形成されている請求項１または２記載の光源ユニット。
【請求項５】
請求項４記載の光源ユニットを備え、前記光源ユニットから出力され、フィルム搬送装置により搬送される写真フィルムから透過または反射した光線束に基づいて前記写真フィルムに担持された画像を読み取る撮像素子を備えたフィルムスキャナ。
【発明の詳細な説明】
【技術分野】
【０００１】
本発明は、光源から出力される光線束を案内する光ファイバ群を備えてなる光源ユニット及びその光源ユニットを備えたフィルムスキャナに関する。
【背景技術】
【０００２】
従来、光源から出力された光エネルギーのロスを無くして効率的に利用するべく、光源から出力される光線束を案内する光ファイバ群を備え、前記光ファイバ群の出力側端部に拡散板を設けて、前記光ファイバ群から出力される光線束の光量ムラを解消する技術が提案されている。
【特許文献１】特開２００２−２２９１３５号公報
【発明の開示】
【発明が解決しようとする課題】
【０００３】
上述した特許文献１に記載された技術によれば、このような光源ユニットは、写真フィルムに担持された画像を撮像素子で読み取るフィルムスキャナに搭載されるものであり、写真フィルムを長手方向である副走査方向に搬送する自動フィルム搬送装置のフィルムマスク面に、前記光ファイバ群の出力端部が対向配置されるものである。
【０００４】
しかし、上述したフィルムスキャナでは光源ユニットに設けられた拡散板だけでは十分な拡散効果が得られない場合もあり、自動フィルム搬送装置のフィルムマスク面に別途の拡散板を設ける必要があった。例えば光源としてハロゲンランプを用いる場合には、フィラメントの影により光量ムラが生じ、各光ファイバに入射する光量分布が異なることとなり、さらに、各光ファイバから出射される光がファイバの軸心方向に直進するように出力されるため、各光ファイバから出射される光が重畳された光線束にも光ファイバの配列と同様の光量ムラが生じる結果、光源ユニットに設けられた拡散板だけでは十分な拡散効果が得られないのである。
【０００５】
当該自動フィルム搬送装置は、３５ミリフィルムやＡＰＳフィルムなどのフィルム種類に応じてフィルムスキャナ本体から頻繁に着脱されるもので、着脱の頻度が増せばそれだけ操作者がフィルムマスク面の拡散板に触れる機会が増し、その結果、拡散板が指紋の付着などで汚れ、クリーニングなどのメンテナンスを頻繁に行なわなければならないという問題があった。
【０００６】
さらに上述した別途の拡散板を設けるために、自動フィルム搬送装置に拡散板の取り付け機構を設ける必要があり、そのような自動フィルム搬送装置は、上述の光源ユニットを使用しない機種との間で共用できなくなり、コスト上昇に繋がるという問題もあった。
【０００７】
上述の光源ユニットは、光源から光ファイバを介して目的とする位置に光線束を案内できるので、光源の配置の自由度が高くなるという利点があるものの、フィルム焼付け装置などの他の装置の光源として使用する場合であっても、拡散が不十分なために別途の拡散板を設けなければならないこととなり、それだけコスト上昇をもたらすという問題もあった。
【０００８】
本発明は、上述の従来欠点に鑑み、光源の配置の自由度を確保しながらも、光量ムラのない均一な光線束を出力できる光源ユニット及びその光源ユニットを備えたフィルムスキャナを提供する点にある。
【課題を解決するための手段】
【０００９】
上述の目的を達成するため、本発明による光源ユニットの第一の特徴構成は、特許請求の範囲の請求項１に記載した通り、光源から出力される光線束を案内する光ファイバ群と、前記光ファイバ群により案内された光線束を入射する入光部、及び、前記入光部から入射して内壁面で拡散反射された光線束を出力する出光部を備えた光拡散中空体と、前記出光部から出力された光線束を拡散する拡散板を設けて構成してある点にある。
【００１０】
光ファイバにより案内され、光拡散中空体に入射した光線束は、当該光拡散中空体の内壁面で拡散反射が繰り返されて、十分に均一な光量の光線束として出光部から出力される。そのような光線束を拡散板により再度拡散させることにより光量ムラのない光線束が得られる。
【００１１】
同第二の特徴構成は、特許請求の範囲の請求項２に記載した通り、第一の特徴構成に加えて、前記拡散板が、前記出光部に着脱自在に取付けられ点にある。
【００１２】
拡散板を光拡散中空体の出光部に着脱自在に取付けることにより、実使用状態において拡散板により光拡散中空体が密封されるので、光拡散体の周囲に浮遊する塵埃が内部に流入して内壁部の反射面が汚染されるような事態を回避することができる。しかも、拡散板が汚染された場合には、出光部から取り外して容易に清掃できる。
【００１３】
同第三の特徴構成は、特許請求の範囲の請求項３に記載した通り、第一または第二の特徴構成に加えて、前記出光部が写真フィルムのコマ画像の形状に対応した形状に形成されている点にある。
【００１４】
光拡散体の出光部がこのような形状に構成されると、光源ユニットを、フィルム画像を印画紙に投影露光するアナログ方式の写真処理装置の光源として使用することが可能となる。
【００１５】
同第四の特徴構成は、特許請求の範囲の請求項４に記載した通り、第一または第二の特徴構成に加えて、前記出力部が、写真フィルムの幅に対応した長さのスリット形状に形成されている点にある。
【００１６】
光拡散体の出光部がこのような形状に構成されると、光源ユニットを、副走査方向に搬送されるフィルムの幅方向に沿って順次画像を読み取る撮像素子に対して照明光を案内する光源として使用することができる。
【００１７】
本発明によるフィルムスキャナの第一の特徴構成は、上述した第四特徴構成による光源ユニットを備え、前記光源ユニットから出力され、フィルム搬送装置により搬送される写真フィルムから透過または反射した光線束に基づいて前記写真フィルムに担持された画像を読み取る撮像素子を備えた点にある。
【００１８】
このようなフィルムスキャナによれば、フィルム搬送装置のフィルムマスク面に別途の拡散板を設ける必要が無くなるので、フィルム搬送装置を頻繁に着脱してもフィルムマスク部位が汚れることは無い。しかも当該光源ユニットを使用しない機種との間で共用可能となり、コストも低下させることができる。
【発明の効果】
【００１９】
従って、本発明によれば、光源の配置の自由度を確保しながらも、光量ムラのない均一な光線束を出力できる光源ユニット及びその光源ユニットを備えたフィルムスキャナを提供することができるようになった。
【発明を実施するための最良の形態】
【００２０】
以下に本発明による光源ユニット及びその光源ユニットを備えたフィルムスキャナの実施の形態を説明する。図１に示すように、光源ユニット１は、光源２から出力される光線束を案内する光ファイバ群３と、光ファイバ群３により案内された光線束を入射する入光部４Ａ、及び、入光部４Ａから入射して内壁面４Ｂで拡散反射された光線束を出力する出光部４Ｃを備えた光拡散中空体４と、出光部４Ｃから出力された光線束を拡散する拡散板５を設けて構成される。
【００２１】
前記光ファイバ群３の光源側端部は第一固定金具３Ａで束ねられ、他端部は前記入光部４Ａの開口に嵌入固定される第二固定金具３Ｂで束ねられ、中間は結束ベルト３Ｃにより束ねられている。
【００２２】
前記光拡散中空体４は略球面形状で、その内壁面４Ｂは、図２に示すように、硫酸バリウム等でなる白色の塗料を塗布して拡散反射するように構成され、入光部４Ａから入射した光源からの光線束を完全拡散光にして出光部４Ｃより放射するもので、入光部４Ａから入射した光線束が出光部４Ｃから直接出力されることのないように、入光部４Ａから入射した光線束の光路と光拡散体４の壁面との交差する領域とは異なる位置に出光部４Ｃが形成されるか、または入光部４Ａから入射した光線束が出光部４Ｃから直接出力されないように出光部４Ｃ内側に反射板４Ｄが設けられ、積分球として作用する。
【００２３】
前記光拡散中空体４の表面の一部がフラットに形成され、そのフラットな面に長方形のスリットが形成されて前記出光部４Ｃが構成され、以って、光ファイバ群３により案内された入射光線束が光量分布の均一なスリット光として出力される。
【００２４】
前記出光部４Ｃには、拡散板５を着脱自在に取付ける取付座が設けられ、拡散板５を取付けた状態では、光拡散中空体４の周囲に浮遊する塵埃が光拡散中空体４の内部に流入することは無く、内壁部の反射面が汚染されることは無い。
【００２５】
上述した光源ユニット１を備え、光源ユニット１から出力され、フィルム搬送装置により搬送される写真フィルムから透過した光線束に基づいて写真フィルムに担持された画像を読み取る撮像素子を備えた写真処理装置について説明する。
【００２６】
図３に示すように、写真処理装置はフィルムスキャナ１０とプリンタ２０とで構成される。フィルムスキャナ１０は、光源２としてのハロゲンランプからの出力光線束をフィルムＦ面に案内する光源ユニット１と、フィルムＦを搬送する自動フィルム搬送装置１１と、光源ユニット１から出力されたスリット光によるフィルム透過光を読み取るＣＣＤラインセンサを備えた撮像部１２を備えて構成される。前記自動フィルム搬送装置１１は、フィルムを一定速度で搬送する駆動ローラ１１Ａが設けられ、撮像部１２は、写真フィルムＦの幅方向に沿って配置されるＣＣＤラインセンサとフィルム画像をＣＣＤラインセンサの受光部に結像させる光学系を備えて構成され、以って、図３の矢印方向に沿って一定速度で副走査方向に搬送される写真フィルムＦの画像が、ＣＣＤラインセンサによる主走査により読み取られる。
【００２７】
前記プリンタ２０は、ロール状の印画紙Ｐが収容されたマガジン２２と、マガジン２２から印画紙Ｐを引き出し搬送経路に沿って搬送するアドバンスローラ２３や露光用搬送ローラ２４と、搬送経路に配置され、印画紙Ｐを所定サイズに切断するカッター２５と、搬送経路の露光位置に配置され、前記フィルムスキャナ１０により読み取られた画像データに基づいて印画紙Ｐに画素単位で画像を焼き付け露光するレーザ方式の露光エンジン２１と、露光後の印画紙Ｐを現像処理する現像部２６と、現像処理後の印画紙Ｐを乾燥処理する乾燥処理部２７と、上述した各機能ブロックを作動制御する制御部２８と、プリントサイズなどの出力処理条件等を設定入力する操作部２９と、プリント画像を表示するモニタ３０などを備えて構成される。
【００２８】
上述のフィルムスキャナ１０について詳述すると、図４に示すように、光源２としてのハロゲンランプからの出力光線束が、光軸に対して傾斜配置された熱線吸収フィルタ１３と、フィルム種類に応じて切替可能な回転フィルタ１４を介して上述した光源ユニット１に導かれるように配置されている。
【００２９】
前記回転フィルタ１４は、モータ１５により回転可能に支持された円盤上にネガフィルム用フィルタ１４Ａと、セットアップ用フィルタ１４Ｂと、ポジフィルム用フィルタ１４Ｃの３種類のフィルタを周面上に配置して構成され、例えば、ネガフィルムの画像を読み取る場合には、ネガフィルム用フィルタ１４Ａが光路中に配置されるように駆動モータ１５が駆動される。
【００３０】
光源ユニット１はカバーケース１６の内部に収容され、光ファイバ群３の光源側端部の第一固定金具３Ａがカバーケース１６及びフレーム１７に形成された取付孔１８に嵌入固定されるとともに、光拡散中空体４の出光部４Ｃが自動フィルム搬送装置１１のフィルムマスク部に嵌入固定されている。
【００３１】
以下に別実施の形態を説明する。上述の実施形態では、光拡散中空体が略球面形状に構成されたものを説明したが、光拡散中空体の形状はこれに限定されるものではなく、円筒状の中空体で形成され、当該円筒の周面に軸心に平行に出光部としてのスリットが形成されたものであってもよいし、他の形状であってもよい。
【００３２】
出光部の形状は、フィルムスキャナに適するようにスリット状に形成されたものを説明したが、その形状は特に限定されるものではなく、用途に応じて適宜設定されるものである。例えば、フィルム画像を印画紙に投影露光するアナログ方式の写真処理装置の光源として使用する場合には、出光部が写真フィルムのコマ画像の形状に対応した形状に形成されるものである。
【００３３】
上述した実施形態は、本発明による光源ユニットの一例に過ぎず、その形状、材質、大きさなどは特に限定されるものではない。さらに、本発明による光源ユニットの適用例は、フィルムスキャナや、アナログ方式の投影露光装置に限るものでもなく、その均質な光量が必要とされ、且つ、光源の位置が制限されるような任意の機器に適用可能である。
【図面の簡単な説明】
【００３４】
【図１】光源ユニットの斜視図
【図２】光源ユニットの断面図
【図３】写真処理装置のブロック構成図
【図４】フィルムスキャナの要部の断面図
【符号の説明】
【００３５】
１：光源ユニット
２：光源
３：光ファイバ群
４：光拡散中空体
４Ａ：入光部
４Ｂ：内壁面
４Ｃ：出光部
【図１】
2005055571.tif 000003
【図２】
2005055571.tif 000004
【図３】
2005055571.tif 000005
【図４】
2005055571.tif 000006